(57)【要約】【課題】  フォトカプラ等の電気スイッチを有する遊技機において、外部電源からの電力供給が停止した場合においても電気スイッチを作動させる。【解決手段】  フォトカプラ３１を開閉作動させる電源として、通常、遊技機に備えられている内部電源２８を利用するとともに、フォトカプラ３１を作動させるための通電が開始された後、所定時間が経過したときにフォトカプラ３１へ通電を遮断する。これにより、フォトカプラ３１を作動させるための電源を別途設ける必要がなく、外部電源からの電力供給が停止した場合においてもフォトカプラ３１を作動させることができるとともに、内部電源２８に蓄えられた電力が必要以上に消費されてしまうことを未然に防止できる。【選択図】  図６
2006158641.tif 000002
【特許請求の範囲】
【請求項１】
所定容量の内部電源、及び外部に信号を出力するための信号回路を電気的に開閉する電気スイッチを有する遊技機であって、
前記内部電源に蓄えられている電力を前記電気スイッチに供給する内部電源供給手段、を備えることを特徴とする遊技機。
【請求項２】
前記内部電源供給手段は、可動接点が変位することにより回路を機械的に開閉する機械スイッチの作動に連動して作動することを特徴とする請求項１に記載の遊技機。
【請求項３】
前記内部電源供給手段は、可動接点が変位することにより回路を機械的に開閉する機械スイッチにて構成されていることを特徴とする請求項１に記載の遊技機。
【請求項４】
前記内部電源供給手段により前記電気スイッチへの電力供給が開始された時から所定時間が経過した後に、前記電気スイッチへの電力供給を遮断する電力供給遮断手段、を備えることを特徴とする請求項１ないし３のいずれか１つに記載の遊技機。
【発明の詳細な説明】
【技術分野】
【０００１】
本発明は、所定容量の内部電源、及び外部に出力される信号の回路を電気的に開閉する電気スイッチを有する遊技機に関するもので、特にパチンコ遊技機、アレンジボール遊技機、スロットマシンと呼ばれる回胴遊技機等の遊技機に関するものである。
【背景技術】
【０００２】
遊技機の扉を開くと、遊技機内の装置を不正操作又は不正改造等することが可能な状態となることから、従来から、パチンコ遊技機等においては、遊技機の扉の開閉状態を検出するとともに、この検出した扉の開閉信号を外部に出力することができるように構成されている（例えば、特許文献１参照）。
【０００３】
なお、扉の開閉信号は、通常、遊技機を管理する管理者（管理用コンピュータ）に送信され、管理者は、この開閉信号に基づいて遊技機に対する不正行為を監視する。
このとき、扉の開閉状態を検出する方法として、扉の開閉作動に機械的に連動させてリミットスイッチ等の機械的スイッチの可動接点を作動させることにより信号回路を開閉して、扉の開閉状態を示すオン（１）／オフ（０）信号を発生させる方法が一般的である（例えば、特許文献２参照）。
【特許文献１】特開平１１−３３１９３号公報
【特許文献２】特開２００１−７０５９７号公報
【発明の開示】
【発明が解決しようとする課題】
【０００４】
ところで、近年、上記した機械的スイッチを用いた検出方法に代えて、信号回路中にトランジスタやフォトカプラ等の半導体スイッチを用いた遊技機が望まれている。
しかし、リミットスイッチ等の機械的スイッチでは、扉の開閉作動と連動して可動接点を作動させて機械的に回路を開閉するのに対して、半導体スイッチ等の回路を電気的に開閉する電気スイッチでは、回路を開閉するために電力を電気スイッチに供給する必要がある。
【０００５】
このため、夜間や遊技場の休業日等のように、外部電源から遊技機への電力供給が停止したときには、電気スイッチを作動させることができなくなるため、扉の開閉状態を検出することができなくなってしまう。
【０００６】
そして、扉の開閉状態を検出することができなくなると、例えば遊技機の扉を開放して、いわゆる「裏ＲＯＭ」に入れ替える行為、又は「ぶら下がり基板」といわれる不正基板を装着する行為等の不正行為を監視することができなくななるとともに、これらの不正行為に対する抑止効果が低減してしまうといった問題が発生するおそれが高い。
【０００７】
本発明は、上記点に鑑み、電気スイッチを有する遊技機において、外部電源からの電力供給が停止した場合においても電気スイッチを作動させることを目的とする。
【課題を解決するための手段】
【０００８】
本発明は、上記目的を達成するために、請求項１に記載の発明では、所定容量の内部電源（２８）、及び外部に信号を出力するための信号回路（４３）を電気的に開閉する電気スイッチ（３１）を有する遊技機であって、内部電源（２８）に蓄えられている電力を電気スイッチ（３１）に供給する内部電源供給手段（３２）、（Ｓ５）を備えることを特徴とする。
【０００９】
これにより、電気スイッチ（３１）を作動させるための電源を別途設ける必要がないので、外部電源からの電力供給が停止した場合においても電気スイッチ（３１）を作動させることができる。
【００１０】
延いては、「裏ＲＯＭ」に入れ替える行為、又は「ぶら下がり基板」といわれる不正基板を装着する行為等の不正行為を監視することができるので、これらの不正行為に対する抑止効果を維持することができる。
【００１１】
請求項２に記載の発明では、内部電源供給手段（３２）は、可動接点が変位することにより回路を機械的に開閉する機械スイッチ（Ｓ５）の作動に連動して作動することを特徴とする。
【００１２】
これにより、内部電源供給手段（３２）及び電気スイッチ（３１）等を含む部分と機械スイッチ（Ｓ５）を含む部分とを容易に分離することができるので、機械スイッチ（Ｓ５）自体で電気スイッチ（３１）への電力供給を制御する場合に比べて、汎用性を高めることができる。
【００１３】
請求項３に記載の発明は、内部電源供給手段（Ｓ５）は、可動接点が変位することにより回路を機械的に開閉する機械スイッチにて構成されていることを特徴とする。
これにより、後述する第２実施形態のごとく、機械スイッチの個数を削減することが可能となるので、遊技機の部品点数及び組み立て工数を低減することが可能となる。
【００１４】
請求項４に記載の発明では、内部電源供給手段（３２）、（Ｓ５）により電気スイッチ（３１）への電力供給が開始された時から所定時間が経過した後に、電気スイッチ（３１）への電力供給を遮断する電力供給遮断手段（３３）、（３４）を備えることを特徴とする。
【００１５】
これにより、電気スイッチ（３１）を作動させるための通電が開始された後、所定時間が経過したときに電気スイッチ（３１）へ通電が遮断されるので、内部電源（２８）に蓄えられた電力が必要以上に消費されてしまうことを未然に防止できる。
【００１６】
したがって、電気スイッチ（３１）を作動させるにあたって、内部電源（２８）の容量を増大させる必要がないので、内部電源（２８）の設置スペースを拡大させることなく既存の内部電源（２８）そのまま流用することが可能となるとともに、遊技機の製造原価上昇を抑制することができる。
【００１７】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００１８】
以下に本発明の実施形態を図面と共に説明する。
（第１実施形態）
本実施形態は、いわゆるセブン機と呼ばれるタイプの弾球遊技機（以下、単に遊技機という。）に本発明を適用したものであり、以下、本発明の実施形態について図１〜図８に基づいて説明する。
【００１９】
先ず、遊技機１本体の概略構造について図１〜図３に基づいて説明する。なお、図１は遊技機１の正面図であり、図２は遊技機１の斜視図であり、図３は遊技盤８の詳細図である。
【００２０】
本実施形態に係る遊技機１は、周知のパチンコ遊技機とほぼ同様であり、遊技機１の前面部は、図１及び図２に示すように、主として外枠２、中枠（本体枠）３、前面枠４、上皿部５、下皿部６及び発射ハンドル７等が設けられており、前面枠４内には、遊技盤８が配設されている。
【００２１】
ここで、中枠３は、図２に示すように、外枠２の左端側に設けられたヒンジ２ａを介して開閉可能に外枠２に組み付けられ、前面枠４は、中枠３の前面に配置された状態で中枠３の左端側にて中枠３に対して開閉可能に支持されている。
【００２２】
また、上皿部５は、中枠３の前面であって、かつ、前面枠４の下側に配置されて中枠３の左端側にて中枠３に開閉可能に支持されており、この上皿部５には、上皿部５に溜まった遊技球を下皿部６に流下させるための排出口及びこの排出口を開閉するための玉抜きボタンや遊技球の貸出・返却ボタンが設けられている。
【００２３】
一方、上皿部５の下方に設けられた下皿部６には、下皿部６に貯留された遊技球を遊技機１から排出するめの排出口や灰皿等が設けられている。
また、発射ハンドル７は、下皿部６の右側に配置された遊技球の発射装置ユニット（図示せず。）を操作する操作手段であり、この発射ハンドル７には、遊技者が発射ハンドル７に触れていることを検知するタッチスイッチや遊技球の発射を一時的に停止させる発射停止スイッチ等が設けられている。
【００２４】
また、遊技盤８には、図３に示すように、遊技盤８の表面に設けられた外レール８ａと内レール８ｂとにより略円形状の遊技領域８ｃが形成されており、この遊技領域８ｃ内には、中央装置９と、第１始動口１０、変動入賞装置１１、第２始動口１２、普通図柄作動ゲート１３、及び多数本の障害釘（図示せず。）等が設けられている。
【００２５】
中央装置９は、遊技領域８ｃの略中央部に位置し、主に演出用の図柄を表示する液晶パネル製の演出表示装置９ａを有して構成されており、この演出表示装置９ａでは、遊技状態に応じた演出用の図柄が表示される。
【００２６】
そして、例えば遊技球が第１始動口１０又は第２始動口１２に入球すると、演出表示装置９ａに表示される演出用の図柄、及び特別図柄表示装置９ｂ（図４参照）に表示される特別図柄が変動表示された後に停止表示される。
【００２７】
また、普通図柄作動ゲート１３内には、普通図柄作動ゲート通過検知スイッチＳ１（図４参照）が配設されており、この普通図柄作動ゲート通過検知スイッチＳ１により遊技球が普通図柄作動ゲート１３を通過したことが検知されると、普通図柄表示装置９ｃ（図４参照）表示される普通図柄が変動して、所定時間経過後に１種類の奇数数字が停止表示され、特定の図柄にて図柄が停止表示されると、第１始動口１０が所定時間（例えば、０．５秒）開放される。
【００２８】
第１始動口１０は、いわゆるチューリップ式で左右に一対の翼片部が開閉することにより、入賞口を開閉するもので、その内部には、遊技球の通過を検知する始動口入賞検知スイッチＳ２（図４参照）、及び翼片部を作動させるためのアクチュエータ１０ａ（図４参照）が設けられている。
【００２９】
変動入賞装置１１は、変動入賞装置１１の略中央に位置して帯状に開口した大入賞口１１ａ、この大入賞口１１ａを開閉する開閉板１１ｂ、この開閉板１１ｂを開閉作動させるためのアクチュエータ１１ｃ（図４参照）、大入賞口１１ａに入賞した後に遊技球が通過する特定領域であるＶ入賞口及び一般入賞口（図示せず。）、並びに入賞球を検知する入賞球検知スイッチＳ３（図４参照）等から構成されている。
【００３０】
なお、遊技盤８の最下部には、第１始動口１０及び第２始動口１２等のいずれの入賞口にも入賞しなかった遊技球を遊技盤８外に排出するためのアウト口１４が設けられている。
【００３１】
次に、遊技機１の電子制御装置２０の概略を、図４に示すブロック図に基づいて説明する。
電子制御装置２０は、主制御部２１と、主として賞球の払出制御を行う払出制御部２２、演出表示装置９ａを制御する演出図柄制御部２３、並びに演出用の音声及び照明を制御する音声・ランプ制御部２４等の副制御部を有して構成されている。
【００３２】
なお、演出表示装置９ａは副制御部の１つである演出図柄制御部２３にて制御されているのに対して、特別図柄表示装置９ｂ及び普通図柄表示装置９ｃは主制御部２１にて直接制御される。
【００３３】
そして、主制御部２１の入力回路部（図示せず。）には、普通図柄作動ゲート通過検知スイッチＳ１、始動口入賞検知スイッチＳ２、入賞球検知スイッチＳ３等の遊技球検知手段、並びに前面枠４や中枠３の開閉状態を示す信号を出力するドアスイッチＳ４等が接続されている。
【００３４】
なお、ドアスイッチＳ４は、リミットスイッチ等の可動接点が変位することにより回路を機械的に開閉する機械スイッチにて構成されており、本実施形態では、前面枠４や中枠３が閉じた状態では信号回路が開いた状態となり、前面枠４や中枠３が開いた状態では信号回路が閉じるように設定されている。
【００３５】
因みに、本実施形態では、ドアスイッチＳ４により前面枠４や中枠３が開いたことが検知されたときは、主制御部２１は、遊技球を遊技盤８内に発射するための発射装置制御部２２ｂに対して遊技球の発射を禁止する制御指令を発する。
【００３６】
また、音声・ランプ制御部２４のコネクタ出力部（図示せず。）には、演出用のランプ及びＬＥＤに装着された各種ランプ基板２４ａ及び各種ＬＥＤ基板２５ｂ、並びに演出用の音声を出力するスピーカ（図示せず。）を駆動する音声出力基板２４ｃ等が接続されており、これらの各基板に接続されたランプ、ＬＥＤ及びスピーカは、ゲームの進行状況に応じて点灯・消灯又は点滅等の作動を行う。
【００３７】
また、払出制御部２２には、賞球を払い出す賞球払出装置２２ａ、遊技球を遊技盤８内に発射するための発射装置制御部２２ｂ及び払出用端子基板２２ｃが接続されており、この払出用端子基板２２ｃには、発射停止スイッチ、タンク球切れ検知スイッチ及び補給球切れ検知スイッチ等の図示しない各種スイッチが接続されている。
【００３８】
また、主制御部２１内には、遊技機１と遊技機１を監視する監視用コンピュータ（ホールコンピュータ）とを接続する情報出力回路３０が設けられており、ホールコンピュータ４０（図８参照）と情報出力回路３０の出力部とは、外部端子板２９を介して接続されている。
【００３９】
因みに、図４中、実線の矢印は信号が流れる信号ラインを示し、破線の矢印は、各制御部２１〜２４への電源供給経路を示しており、商用電源等の外部電源からの電力は、先ず、電源受電基板２５に供給され、電源ユニット２６で所定電圧に変換された後、分電基板２７から各制御部２１〜２４に供給される。
【００４０】
次に、遊技機１と遊技機１を監視する監視用コンピュータ（ホールコンピュータ）とを接続する情報出力回路３０について、図５〜図８に基づいて説明する。
なお、図５は情報出力回路３０を示すブロック図であり、図６は情報出力回路３０及び外部端子板２９の電気接続を示す図であり、図７は情報出力回路３０の作動を示すフローチャートであり、図８は遊技場における遊技機１と電源供給ライン及び外部出力信号ラインとの関係を示す図である。
【００４１】
そして、各遊技機１に設けられた情報出力回路３０は、図８に示すように、外部出力信号線（情報出力回路）を介してホールコンピュータ４０に接続され、一方、商用標電源４１から供給された電力は、島電源４２を介して各遊技機１に供給される。なお、島電源４２は、商用電源４１から供給される電力（１００Ｖ）を所定の電圧（２４Ｖ）に変圧して各遊技機１に供給するものである。
【００４２】
また、情報出力回路３０には、図５及び図６に示すように、遊技機１内に搭載された内部電源２８及び前面枠４や中枠３の開閉状態を示す信号を出力するドアスイッチＳ５が接続されており、このドアスイッチＳ５は、リミットスイッチ等の可動接点が変位することにより回路を機械的に開閉する機械スイッチにて構成されたもので、本実施形態では、前面枠４や中枠３が閉じた状態では信号回路が開いた状態となり、前面枠４や中枠３が開いた状態では信号回路が閉じるように設定されている。なお、図６においては、電気的な接続関係の理解を容易とするため、情報出力回路３０内にドアスイッチＳ５が記載されている。
【００４３】
なお、内部電源２８は、二次電池又は電気二重層コンデンサ等の所定容量の電力を蓄えることができるものであり、本実施形態では、電源ユニット２６に一体化（内蔵）されている（図４参照）。そして、商用電源４１が停電する等して遊技機１への電力供給が突然遮断された時には、内部電源２８から必要最低限の電力が遊技機１に緊急供給されることにより、停電が発生した時の遊技状態等が保存される。このため、内部電源（バックアップ電源）２８は、本発明に係る遊技機１によらず、殆どの遊技機に備えられている。
【００４４】
また、情報出力回路３０は、図６に示すように、半導体スイッチ（トランジスタ）３２、電磁継電器（リレー）３３及びタイマー３４等から構成され、外部端子板２９には、フォトカプラ３１が設けられている。
【００４５】
ここで、フォトカプラ３１は、ドアスイッチＳ５のオン信号、つまり前面枠４や中枠３が開いた状態を示す信号をホールコンピュータ４０に送信するための情報出力回路を開閉する電気スイッチであり、このフォトカプラ３１は、発光部に通電されると、情報出力回路を閉じ、逆に発光部への通電が遮断されると情報出力回路を開く。
【００４６】
また、半導体スイッチ３２は、ドアスイッチＳ５が閉じたときのオン信号によりフォトカプラ３１の発光部アノード側と内部電源２８側とを導通させて内部電源２８に蓄えられている電力をフォトカプラ３１に供給する内部電源供給手段をなすものである。
【００４７】
また、リレー３３は、半導体スイッチ３２側と内部電源２８とを繋ぐ電気回路を開閉するものであり、本実施形態では、非通電時には回路を閉じ、通電された時に回路を開くとともに開いた状態を維持するタイプのリレーが採用されている。タイマー３４は、ドアスイッチＳ５のオン信号を契機（トリガー）として所定時間（本実施形態では、約１秒）を計時した後、リレー３３に信号（所定電圧）を発する。なお、タイマー３４は、水晶発振器を利用したもの又はコンデンサを利用したもの等、その手段は問わない。
【００４８】
次に、情報出力回路３０の作動を図７に基づいて説明する。なお、図７は情報出力回路３０の作動を示すフローチャートである。
以上に説明した構成により、前面枠４や中枠３が開いてドアスイッチＳ５が閉じると（Ｓ１：ＹＥＳ）、内部電源２８から半導体スイッチ３２及びタイマー３４に電力が供給されるので、タイマー３４の計時が開始されるとともに（Ｓ３）、半導体スイッチ３２が閉じてフォトカプラ３１の発光部に通電され、情報出力回路の開閉スイッチをなすフォトカプラ３１が閉じる（Ｓ７、Ｓ９）。
【００４９】
そして、タイマー３４の計時開始後、所定時間が経過すると（Ｓ５：ＹＥＳ）、タイマー３４からリレー３３に信号が送信されるので、半導体スイッチ３２側と内部電源２８とを繋ぐ電気回路が開かれて半導体スイッチ３２側への電力供給が遮断される。このため、半導体スイッチ３２が開くと同時にタイマー３４への通電が停止するので、フォトカプラ３１の発光部への通電が遮断され、情報出力回路が開くと同時にタイマー３４が停止（リセット）される（Ｓ１１）。
【００５０】
以上の説明から明らかなように、本実施形態では、リレー３３及びタイマー３４により、特許請求の範囲に記載された電力供給遮断手段が構成されることとなる。
次に、本実施形態に係る遊技機１の特徴を説明する。
【００５１】
本実施形態では、情報出力回路の開閉スイッチ（電気スイッチ）をなすフォトカプラ３１を開閉作動させる電源として、通常、遊技機１に備えられている内部電源２８を利用しているので、フォトカプラ３１を作動させるための電源を別途設ける必要がなく、外部電源からの電力供給が停止した場合においてもフォトカプラ３１を作動させることができる。
【００５２】
延いては、「裏ＲＯＭ」に入れ替える行為、又は「ぶら下がり基板」といわれる不正基板を装着する行為等の不正行為を監視することができるので、これらの不正行為に対する抑止効果を維持することができる。
【００５３】
また、フォトカプラ３１を作動させるための通電が開始された後、所定時間が経過したときにフォトカプラ３１へ通電が遮断されるので、内部電源２８に蓄えられた電力が必要以上に消費されてしまうことを未然に防止できる。
【００５４】
したがって、フォトカプラ３１を作動させるにあたって、内部電源２８の容量を増大させる必要がないので、内部電源２８の設置スペースを拡大させることなく既存の内部電源２８そのまま流用することが可能となるとともに、遊技機１の製造原価上昇を抑制することができる。
【００５５】
また、本実施形態では、機械スイッチであるドアスイッチＳ５の作動に連動させて内部電源供給手段をなす半導体スイッチ３２を作動させるので、例えば半導体スイッチ３２を廃止してドアスイッチＳ５そのものでフォトカプラ３１の発光部への通電を制御する場合に比べて、信号の出力部分とその制御部分とを容易に分離することができ、汎用性を高めることができる。
【００５６】
また、本実施形態では、情報出力回路を開閉する電気スイッチとしてフォトカプラ３１を採用しているので、フォトカプラ３１が開いた状態、つまり情報出力回路が開いた状態では、ホールコンピュータ４０側と遊技機１側とは、電気的に分断された状態となる。
【００５７】
このため、例えば前面枠４や中枠３が閉じて遊技機１が正常作動している場合に、ホールコンピュータ４０から特定の遊技機１に信号を送信し、その特定の遊技機１を遠隔操作することができなくなる。
【００５８】
（第２実施形態）
本実施形態は、図９に示すように、半導体スイッチ３２を廃止してドアスイッチＳ５そのものでフォトカプラ３１の発光部への通電を制御するものである。このため、本実施形態では、ドアスイッチＳ５自体が特許請求の範囲に記載された内部電源供給手段となる。
【００５９】
なお、本実施形態では、図９に示すように、ドアスイッチＳ５が閉じられると、フォトカプラ３１の発光部に内部電源２８から電力が供給されるともに、コンパレータ（比較回路）３５に基準電圧（グランド）より高い電圧が入力されるので、その出力信号が主制御部２１に送信される。
【００６０】
このため、本実施形態では、主制御部２１に前面枠４や中枠３の開閉状態を示す信号を送信するドアスイッチＳ４を廃止して、ドアスイッチを１個（ドアスイッチＳ５のみ）とすることができるので、遊技機１の部品点数及び組み立て工数を低減することができる。
【００６１】
（その他の実施形態）
上述の実施形態では、内部電源２８として、二次電池又は電気二重層コンデンサ等の充放電可能な電源を採用したが、本発明はこれに限定されるものではなく、例えば一次電池を採用してもよい。
【００６２】
また、上述の実施形態では、電気スイッチをなすフォトカプラ３１への電力供給を開始した時から所定時間経過後にフォトカプラ３１への電力供給を停止したが、本発明はこれに限定されるものではなく、電力供給遮断手段、つまりタイマー３４及びリレー３３を廃止してもよい。
【００６３】
また、上述の実施形態では、リレー３３及びタイマー３４にて電力供給遮断手段を構成したが、本発明はこれに限定されるものではなく、例えばリレー３３に代えてサイリスタやＧＴＯサイリスタ等の半導体スイッチを用いてもよい。
【００６４】
なお、ＧＴＯサイリスタを用いた場合には、ドアスイッチＳ５が開いている場合にもＧＴＯサイリスタに通電する必要があるが、その消費電力は非常に僅かであるため、内部電源２８に蓄えられた電力で十分にＧＴＯサイリスタを作動させることができる。
【００６５】
また、上述の実施形態では、情報出力回路を電気的に開閉する電気スイッチとしてフォトカプラ３１を用いたが、本発明はこれに限定されるものではなく、例えばリレーやトランジスタやＧＴＯサイリスタ等の半導体スイッチ（半導体リレー）を用いてもよい。
【００６６】
また、上述の実施形態では、前面枠４や中枠３等の開閉状態を検知するドアスイッチＳ５の信号を出力する情報出力回路３０に本発明を適用したが、本発明は限定されるものではなく、発射停止スイッチ、タンク球切れ検知スイッチ又は補給球切れ検知スイッチ等の各種スイッチの信号を出力する情報出力装置に適用してもよい。
【００６７】
また、上述の実施形態では、情報出力回路３０は、ドアスイッチＳ５の開閉作動を契機として作動するので、外部電源（島電源４２）からの電力供給が停止した場合は勿論のこと、外部電源から電力が供給されている場合もドアスイッチＳ５の開閉作動を契機として作動するものであったが、本発明はこれに限定されるものではなく、少なくとも外部電源からの電力供給が停止した場合に情報出力回路３０が作動するものであればよい。
【００６８】
また、上述の実施形態では、電気回路的に（ハード構成として）本発明を構成したが、本発明はこれに限定されるものではなく、ソフトウェアにて本発明を構成してもよい。
また、本発明は、特許請求の範囲に記載された発明の趣旨に合致するものであればよく、上述の実施形態に限定されるものではない。
【図面の簡単な説明】
【００６９】
【図１】本発明の実施形態に係る遊技機の正面図である。
【図２】本発明の実施形態に係る遊技機の斜視図である。
【図３】本発明の実施形態に係る遊技機の遊技盤を示す正面図である。
【図４】本発明の実施形態に係る遊技機の電気系ブロック図である。
【図５】本発明の実施形態に係る遊技機の情報出力回路を示す図である。
【図６】本発明の第１実施形態に係る情報出力装置の電気回路図である。
【図７】本発明の第１実施形態に係る情報出力装置の作動を示すフローチャートである。
【図８】遊技場（パチンコホール）におけ遊技機と電源供給ライン及び外部出力信号ラインとの関係を示す図である。
【図９】本発明の第１実施形態に係る情報出力装置の電気回路図である。
【符号の説明】
【００７０】
１…遊技機、２…外枠、２ａ…ヒンジ、３…中枠、４…前面枠、５…上皿部、
６…下皿部、７…発射ハンドル、８…遊技盤、８ａ…外レール、８ｂ…内レール、
８ｃ…遊技領域、９…中央装置、９ａ…演出表示装置、９ｂ…特別図柄表示装置、
９ｃ…普通図柄表示装置、１０…第１始動口、１０ａ…アクチュエータ、
１１…変動入賞装置、１１ａ…大入賞口、１１ｂ…開閉板、
１１ｃ…アクチュエータ、１２…第２始動口、１３…普通図柄作動ゲート、
１４…アウト口、２０…電子制御装置、２１…主制御部、２２…払出制御部、
２２ａ…賞球払出装置、２２ｃ…払出用端子基板、２３…演出図柄制御部、
２４…音声・ランプ制御部、２５…電源受電基板、２６…電源ユニット、
２７…分電基板、２８…内部電源、３０…情報出力回路、３１…フォトカプラ、
３２…半導体スイッチ、３３…リレー、３４…タイマー、
４０…ホールコンピュータ、４１…商用電源、４１…商用電源、４２…島電源、
４３…信号回路、Ｓ１…普通図柄作動ゲート通過検知スイッチ、
Ｓ２…始動口入賞検知スイッチ、Ｓ２…入賞検知スイッチ、
Ｓ３…入賞球検知スイッチ、Ｓ４…ドアスイッチ、Ｓ５…ドアスイッチ。
【図１】
2006158641.tif 000003
【図２】
2006158641.tif 000004
【図３】
2006158641.tif 000005
【図４】
2006158641.tif 000006
【図５】
2006158641.tif 000007
【図６】
2006158641.tif 000008
【図７】
2006158641.tif 000009
【図８】
2006158641.tif 000010
【図９】
2006158641.tif 000011